(57)【特許請求の範囲】
【請求項１】
滑りにくい外周表面を持つ二つの円柱物体（Ａ、Ｂ）を有し、前記円柱物体（Ａ）は本体（Ｈ）に対して固定され、前記円柱物体（Ｂ）はフレキシブルアーム（Ｆ）で前記本体（Ｈ）に対して接続され、
前記フレキシブルアーム（Ｆ）は、上方から下方に押されることにより、前記円柱物体（Ａ、Ｂ）が近付く方向に変形可能であり、
前記円柱物体（Ａ）は、前記円柱物体（Ａ）の中心軸が前記フレキシブルアーム（Ｆ）の変形方向および前記フレキシブルアーム（Ｆ）の伸長方向のそれぞれに対して直交するように配置され、前記円柱物体（Ｂ）は、前記円柱物体（Ｂ）の中心軸が前記フレキシブルアーム（Ｆ）の変形方向および前記フレキシブルアーム（Ｆ）の伸長方向のそれぞれに対して直交するように配置され、かつ、前記円柱物体（Ａ）および前記円柱物体（Ｂ）は相互に平行に配置されており、
前記フレキシブルアーム（Ｆ）が前記本体（Ｈ）に対して接続される部分をヒンジ部として、
下記の初期状態、中期状態、および後期状態を経過することにより、前記円柱物体（Ａ、Ｂ）の外周が接触する接点（Ｃ）で挟んだビニール袋を、前記円柱物体（Ｂ）が前記円柱物体（Ａ）の前記ヒンジ部側の外周に沿って移動することで開口する、ビニール袋開口器具。
前記初期状態では、開口したいビニール袋を、前記円柱物体（Ａ）と前記円柱物体（Ｂ）の間に配置する。
前記中期状態では、前記円柱物体（Ｂ）および前記フレキシブルアーム（Ｆ）を上方から下方に向けて押すことにより、前記円柱物体（Ａ）の外周と前記円柱物体（Ｂ）の外周が接触する接点（Ｃ）で前記ビニール袋が挟まれる。
前記後期状態では、前記円柱物体（Ｂ）および前記フレキシブルアーム（Ｆ）をさらに上方から下方に向けて押すことにより、前記円柱物体（Ｂ）は、前記円柱物体（Ａ）の前記ヒンジ部側の外周に沿って接触しながら、上方から下方に向けて移動することで、前記ビニール袋が開口される。
【発明の詳細な説明】
【技術分野】
【０００１】  本発明は、ビニール袋を開口する為の治具に関するものである。
【背景技術】
【０００２】  スーパー等で持ち帰り用のビニール袋を利用する際、ビニール袋の開口部を持ち指を擦り合わせるように挟んで開口するが、指が乾燥しているとビニール袋と指の間に抵抗が発生し辛く、濡れ雑巾や湿らせたスポンジ等で指を湿らせてからビニール袋を開口することがある。
【先行技術文献】
【特許文献】
【０００３】
【特許文献１】特開２０１４−１４４８０５
【発明の概要】
【発明が解決しようとする課題】
【０００４】  ビニール袋を開口する為に指を濡れ雑巾や湿らせたスポンジ等で湿らせる行動は、複数人数が使用した場合の指の衛生面と、長時間放置された場合の異臭に問題がある。また、濡れ雑巾や湿らせたスポンジの放置は時間とともに乾燥が促進する為、適度に交換もしくは加湿メンテナンスをすることが必要である。
【課題を解決するための手段】
【０００５】  本発明は、滑りにくい外周表面を持つ二つの円柱物体があり、その二つの物体の外周同士の接点で挟んだビニール袋を一方の物体の外周に沿ってもう一方の物体が移動することによってビニール袋を開口することを特徴とする器具を用いて、指で直接ビニール袋を触ることなく、ビニール袋を開口できる袋開口器具を提案するものである。
【発明の効果】
【０００６】  上述のように、本発明によって指で直接ビニール袋を擦り合わせることが無くなる為、指の乾燥状態によることなく、安定したビニールの開口効果が得られ、且つ、濡れ雑巾や湿らせたスポンジを触る必要が無い為、衛生的である。  また、濡れ雑巾を使用する場合に比べ、濡れ雑巾交換や湿らせたスポンジの保湿メンテナンスの必要が無くなる。
【図面の簡単な説明】
【０００７】
【図１】  本発明ビニール袋開口器具の第一実施例を示す３Ｄ図。
【図２】  図１を簡略化し、固定アームと本体が別体型の初期状態側面図。
【図３】  図２を初期状態とした時、フレキシブルアーム移動した中期状態図。
【図４】  ビニール袋を配置した図３における円柱物体接点部の拡大図。
【図５】  図３を中期状態とした時、フレキシブルアーム移動した後期状態図。
【図６】  ビニール袋を配置した図５における円柱物体接点部の拡大図。
【図７】  円柱物体の複数材料による複合例及び多角形柱形状実施例図。
【図８】  図１実施例から二つの円柱物体を回転配置した場合の実施例３Ｄ図。
【図９】  図５から固定アームの長さを変更した場合の後継状態図。
【図１０】  フレキシブルアームと本体を一体化したハンディータイプ実施例図。
【発明を実施するための形態】
【０００８】  滑りにくい外周表面を持つ二つの円柱物体があり、一方の円柱物体は本体と固定し、もう一方の円柱物体はフレキシブルに可動できるようなアームで本体に接続する。
円柱物体は、一方が固定、もう一方が可動できることから、一方の円柱の外周に沿ってもう一方の円柱物体が移動するように設定する。  その二つの円柱物体の外周同士の接点に開口したいビニール袋を挟むように配置すれば、互いの円柱物体の外周表面が滑りにくい性質であることを利用して、一方の物体の外周に沿ってもう一方の物体が移動する時、ビニール袋の片側が引き離され、ビニール袋を開口することができる。
【実施例】
【０００９】  以下、添付図面に従って第一実施例を説明する。  図１に示すように、１：滑りにくい外周表面を持つ円柱物体Ａと２：滑りにくい外周表面を持つ円柱物体Ｂと３：固定アームと一体型の本体Ｈと４：フレキシブルアームＦを有する器具において、簡略化した側面図を図２へ示した。  １５：本体Ｈと１１：滑りにくい外周表面を持つ円柱物体Ａは、１３：固定アームＫによって接続され、１５：本体Ｈと１２：滑りにくい外周表面を持つ円柱物体Ｂは、１４：フレキシブルアームＦによって接続されている。  初期状態として、開口したいビニール袋は、１１：滑りにくい外周表面を持つ円柱物体Ａと１２：滑りにくい外周表面を持つ円柱物体Ｂの間に配置する。  １６：指で押すことにより、１４：フレキシブルアームＦは変形して中期状態へと移行する。【００１０】  中期状態を図３に示す。２６：指によって２４フレキシブルアームＦは２３：固定アームＫに近付き、２１：滑りにくい外周表面を持つ円柱物体Ａの外周と２２：滑りにくい外周表面を持つ円柱物体Ｂの外周が２７：接点Ｃで接触する。この時、開口したいビニール袋は２７：接点Ｃの位置で挟まれる。  ビニールを挟んだ状態の２７：接点Ｃ付近の拡大図を図４に示す。  ３６：滑りにくい外周表面を持つ円柱物体Ａが位置（３０：ｘ，３３：ｙ）にあり、３７：滑りにくい外周表面を持つ円柱物体Ｂが位置（３１：ｘ１，３４：ｙ１）にあり、３８：ビニール袋ａ側と３６：滑りにくい外周表面を持つ円柱物体Ａ、３９ビニール袋ｂ側と３７：滑りにくい外周表面を持つ円柱物体Ｂがそれぞれ接触している。  図３の２６：指で押すことにより、２４：フレキシブルアームＦは変形して後期状態へと移行する。【００１１】  後期状態を図５に示す。４６：指によって４４：フレキシブルアームＦは更に４３：固定アームＫに近付き、４２：滑りにくい外周表面を持つ円柱物体Ｂは、４１：滑りにくい外周表面を持つ円柱物体Ａの外周に沿って４７：接点Ｃで接触しながら移動する。  この時、開口したいビニール袋は４７：接点Ｃの位置で挟まれたままである。  ビニール袋を挟んだ状態の４７：接点Ｃ付近の拡大図を図６に示す。  ５６：滑りにくい外周表面を持つ円柱物体Ａが位置（５０：ｘ，５３：ｙ）で中期状態からほぼ移動していない位置にあり、５７：滑りにくい外周表面を持つ円柱物体Ｂの位置は中期状態（５１：ｘ１，５４：ｙ１）から後期状態では（５２：ｘ２，５５：ｙ２）へ移動した位置となり、５８：ビニール袋ａ側と５６：滑りにくい外周表面を持つ円柱物体Ａは中期状態とほぼ変わらないが、５９：ビニール袋ｂ側は５７：滑りにくい外周表面を持つ円柱物体Ｂが移動したことによって移動し、密着していた５８：ビニール袋ａ側と５９：ビニール袋ｂ側は引き離され、ビニール袋は開口される。【００１２】  上記第一実施例の滑りにくい外周表面を持つ円柱物体は、図７に示すような６１：円柱物体の外周面に６２：シリコンチューブを被せた構造をとっても同様の効果を得ることが可能であり、円柱形状の代わりに６３：多角形柱状物体に６４：シリコンチューブを被せた構造でも同様の効果を得ることが可能である。  また、多角形柱状物体は、６５：特殊形柱状物体のような星形やそれ以外の形状のものでも同様の効果を得ることができる。【００１３】  上記第一実施例は、図８に示すように、図１との比較で説明すると７１：滑りにくい外周表面を持つ円柱物体Ａと７２：滑りにくい外周表面を持つ円柱物体Ｂを平行の関係を保ったまま、７４：フレキシブルアームＦのアーム伸長方向から回転させる位置関係にあっても同様の効果を得ることができる。【００１４】  上記第一実施例は、図５の４３：固定アームＫを、図９に示すように８３：固定アームの長さを調整し、８１：滑りにくい外周表面を持つ円柱物体Ａの位置が８２：滑りにくい外周表面を持つ円柱物体Ｂを超えるように設定しても同様の効果を得ることができる。【００１５】  上記第一実施例は、図１０のように、９３：フレキシブルアームと一体化した本体Ｈのような形状とし、９１：滑りにくい外周表面を持つ円柱物体Ａと９２：滑りにくい外周表面を持つ円柱物体Ｂの両側から挟み込むようなハンディータイプとしても、同様の効果を得ることができる。
【符号の説明】
【００１６】  １：滑りにくい外周表面を持つ円柱物体Ａ
２：滑りにくい外周表面を持つ円柱物体Ｂ
３：固定アームと一体型の本体Ｈ
４：フレキシブルアームＦ
５：（欠番）
６：（欠番）
７：（欠番）
８：（欠番）
９：（欠番）
１０：（欠番）
１１：滑りにくい外周表面を持つ円柱物体Ａ
１２：滑りにくい外周表面を持つ円柱物体Ｂ
１３：固定アームＫ
１４：フレキシブルアームＦ
１５：本体Ｈ
１６：指
１７：（欠番）
１８：（欠番）
１９：（欠番）
２０：（欠番）
２１：滑りにくい外周表面を持つ円柱物体Ａ
２２：滑りにくい外周表面を持つ円柱物体Ｂ
２３：固定アームＫ
２４：フレキシブルアームＦ
２５：本体Ｈ
２６：指
２７：接点Ｃ
２８：（欠番）
２９：（欠番）
３０：ｘ
３１：ｘ１
３２：ｘ２
３３：ｙ
３４：ｙ１
３５：ｙ２
３６：滑りにくい外周表面を持つ円柱物体Ａ
３７：滑りにくい外周表面を持つ円柱物体Ｂ
３８：ビニール袋ａ側
３９：ビニール袋ｂ側
４０：（欠番）
４１：滑りにくい外周表面を持つ円柱物体Ａ
４２：滑りにくい外周表面を持つ円柱物体Ｂ
４３：固定アームＫ
４４：フレキシブルアームＦ
４５：本体Ｈ
４６：指
４７：接点Ｃ
４８：（欠番）
４９：（欠番）
５０：ｘ
５１：ｘ１
５２：ｘ２
５３：ｙ
５４：ｙ１
５５：ｙ２
５６：滑りにくい外周表面を持つ円柱物体Ａ
５７：滑りにくい外周表面を持つ円柱物体Ｂ
５８：ビニール袋ａ側
５９：ビニール袋ｂ側
６０：（欠番）
６１：円柱物体
６２：シリコンチューブ
６３：多角形柱状物体
６４：シリコンチューブ
６５：特殊形柱状物体
６６：シリコンチューブ
６７：（欠番）
６８：（欠番）
６９：（欠番）
７０：（欠番）
７１：滑りにくい外周表面を持つ円柱物体Ａ
７２：滑りにくい外周表面を持つ円柱物体Ｂ
７３：固定アームと一体型の本体Ｈ
７４：フレキシブルアームＦ
７５：（欠番）
７６：（欠番）
７７：（欠番）
７８：（欠番）
７９：（欠番）
８０：（欠番）
８１：滑りにくい外周表面を持つ円柱物体Ａ
８２：滑りにくい外周表面を持つ円柱物体Ｂ
８３：固定アームＫ
８４：フレキシブルアームＦ
８５：本体Ｈ
８６：指
８７：接点Ｃ
８８：（欠番）
８９：（欠番）
９０：（欠番）
９１：滑りにくい外周表面を持つ円柱物体Ａ
９２：滑りにくい外周表面を持つ円柱物体Ｂ
９３：フレキシブルアームと一体化した本体Ｈ
【図１】
0006270790.tif 000002
【図２】
0006270790.tif 000003
【図３】
0006270790.tif 000004
【図４】
0006270790.tif 000005
【図５】
0006270790.tif 000006
【図６】
0006270790.tif 000007
【図７】
0006270790.tif 000008
【図８】
0006270790.tif 000009
【図９】
0006270790.tif 000010
【図１０】
0006270790.tif 000011